(57)【要約】【課題】アングル部材に対する吊ボルトの固定位置を容易に調整することができると共に、吊り具がアングル部材から抜けることを防止可能な天吊り部材を提供する。【解決手段】天吊り部材（１）は、下側アングル部材（１０）と、上側アングル部材（２０）と、下側アングル部材（１０）に対して長手方向にスライド可能に取り付けられた吊り具（５０）と、を備える。吊り具（５０）は、内面（５１Ａ）を含むアングル固定部（５１）と、ボルト固定部（５２）と、を有する。下側アングル部材（１０）の外面において長手方向の端部には、ストッパー部（６１Ａ〜６４Ａ）が設けられる。アングル固定部（５１）の内面（５１Ａ）には、下側アングル部材（１０）の長手方向に見てストッパー部（６１Ａ〜６４Ａ）と重なるように形成された被係止部（９１Ａ〜９４Ａ）が設けられる。【選択図】図３
2017145934.tif 000002
【特許請求の範囲】
【請求項１】
天井に吊り下げられる室内機（４）の天吊り部材（１）であって、
天井の吊ボルト（３）に固定され、長手方向に延在する形状を有する第１アングル部材（１０）と、
前記第１アングル部材（１０）に連結され、室内機（４）が固定される第２アングル部材（２０）と、
前記第１アングル部材（１０）に対して長手方向にスライド可能に取り付けられ、前記第１アングル部材（１０）を前記吊ボルト（３）に固定する吊り具（５０）と、を備え、
前記吊り具（５０）は、
前記第１アングル部材（１０）の外面の少なくとも一部を取り囲む内面（５１Ａ）を含むアングル固定部（５１）と、
前記アングル固定部（５１）に付設され、前記吊ボルト（３）を固定可能な形状に形成されたボルト固定部（５２）と、を有し、
前記第１アングル部材（１０）の前記外面において長手方向の端部には、ストッパー部（６１Ａ〜６４Ａ）が設けられ、
前記アングル固定部（５１）の内面（５１Ａ）には、長手方向において前記ストッパー部（６１Ａ〜６４Ａ）よりも内側に位置し、前記第１アングル部材（１０）の長手方向に見て前記ストッパー部（６１Ａ〜６４Ａ）の少なくとも一部と重なるように形成された被係止部（９１Ａ〜９４Ａ）が設けられている、天吊り部材（１）。
【請求項２】
前記第１アングル部材（１０）は、
前記外面を含むアングル本体部（１７）と、
前記アングル本体部（１７）の前記外面から延設され、長手方向の一端部から他端部に亘って形成されたアングル補強部（１６）と、を有し、
前記ストッパー部（６１Ａ〜６４Ａ）は、前記アングル補強部（１６）における前記一端部及び前記他端部の少なくとも一方の側の部位である、請求項１に記載の天吊り部材（１）。
【請求項３】
前記アングル補強部（１６）は、
前記吊り具（５０）を長手方向にスライドさせるレール部（６１Ｂ〜６３Ｂ）と、
前記レール部（６１Ｂ〜６３Ｂ）から切り離され、前記一端部及び前記他端部の少なくとも一方に設けられた切離部（６１Ａ〜６４Ａ）と、を有し、
前記ストッパー部（６１Ａ〜６４Ａ）は、前記切離部（６１Ａ〜６４Ａ）により構成されている、請求項２に記載の天吊り部材（１）。
【請求項４】
前記アングル本体部（１７）は、上壁部（１１）と、前記上壁部（１１）に対向する下壁部（１２）と、前記上壁部（１１）の端部と前記下壁部（１２）の端部とを接続する側壁部（１３）と、を有し、
前記アングル補強部（１６）は、前記上壁部（１１）と前記側壁部（１３）との接続部及び前記下壁部（１２）と前記側壁部（１３）との接続部の少なくとも一方に設けられている、請求項２又は３に記載の天吊り部材（１）。
【請求項５】
前記上壁部（１１）及び前記下壁部（１２）の長さは、前記側壁部（１３）の長さよりも大きい、請求項４に記載の天吊り部材（１）。
【請求項６】
前記上壁部（１１）及び前記下壁部（１２）の少なくとも一方には、前記アングル固定部（５１）の前記内面（５１Ａ）との間に隙間を有する部位（１１Ａ，１２Ａ）と、前記部位（１１Ａ，１２Ａ）よりも前記内面（５１Ａ）側に突出することにより前記内面（５１Ａ）に当接する部位（１１ＡＡ，１１ＡＢ，１２ＡＡ，１２ＡＢ）と、が設けられている、請求項４又は５に記載の天吊り部材（１）。
【請求項７】
前記ストッパー部（６１Ａ〜６４Ａ）は、前記第１アングル部材（１０）において幅方向の両側に設けられている、請求項１〜６の何れか１項に記載の天吊り部材（１）。
【発明の詳細な説明】
【技術分野】
【０００１】
本発明は、天吊り部材に関する。
【背景技術】
【０００２】
従来、天井に吊り下げられた既設の空調装置の室内機を撤去し、新たな室内機に交換する更新工事に使用される天吊り部材が知られている。この天吊り部材は、４本のアングル部材が四角形状の枠体に組み付けられた構造を有し、平行な２本のアングル部材に天井の吊ボルトがそれぞれ固定され、残りの２本のアングル部材に室内機が固定されるものである。このような天吊り部材の例が下記特許文献１及び２に開示されている。
【０００３】
下記特許文献１には、４本の長方形状のアングル部材が固定金具によって井の字状に組み付けられた天吊り部材であって、アングル部材に形成された孔に吊ボルトが挿入されるものが開示されている。下記特許文献２には、吊ボルトに取り付けられた吊り具によりアングル部材を固定する天吊り部材が開示されており、当該吊り具にはアングル部材の下部を支持するためのコの字状の掛け止め部が設けられている。
【先行技術文献】
【特許文献】
【０００４】
【特許文献１】特開平５−１８０４６２号公報
【特許文献２】特開２００４−３０１１８７号公報
【発明の概要】
【発明が解決しようとする課題】
【０００５】
上記特許文献１では、アングル部材に形成された孔に吊ボルトが挿入され、当該アングル部材の上下面をナットにより挟み込む構造となっている。この構造では、アングル部材に対する吊ボルトの固定位置を変更する場合には、ナットを取り外した後に吊ボルトを別の孔に挿入し直す必要がある。このため、アングル部材に対する吊ボルトの固定位置を変更する作業が煩雑化する。また上記特許文献２では、天吊り部材の据付作業中において吊り具がアングル部材の端部から抜けてしまう虞がある。
【０００６】
本発明は、上記課題に鑑みてなされたものであり、その目的は、アングル部材に対する吊ボルトの固定位置を容易に調整することができると共に、吊り具がアングル部材から抜けることを防止可能な天吊り部材を提供することである。
【課題を解決するための手段】
【０００７】
本発明の一局面に係る天吊り部材（１）は、天井に吊り下げられる室内機（４）の天吊り部材（１）である。上記天吊り部材（１）は、天井の吊ボルト（３）に固定され、長手方向に延在する形状を有する第１アングル部材（１０）と、前記第１アングル部材（１０）に連結され、室内機（４）が固定される第２アングル部材（２０）と、前記第１アングル部材（１０）に対して長手方向にスライド可能に取り付けられ、前記第１アングル部材（１０）を前記吊ボルト（３）に固定する吊り具（５０）と、を備えている。前記吊り具（５０）は、前記第１アングル部材（１０）の外面の少なくとも一部を取り囲む内面（５１Ａ）を含むアングル固定部（５１）と、前記アングル固定部（５１）に付設され、前記吊ボルト（３）を固定可能な形状に形成されたボルト固定部（５２）と、を有している。前記第１アングル部材（１０）の前記外面において長手方向の端部には、ストッパー部（６１Ａ〜６４Ａ）が設けられている。前記アングル固定部（５１）の内面（５１Ａ）には、長手方向において前記ストッパー部（６１Ａ〜６４Ａ）よりも内側に位置し、前記第１アングル部材（１０）の長手方向に見て前記ストッパー部（６１Ａ〜６４Ａ）の少なくとも一部と重なるように形成された被係止部（９１Ａ〜９４Ａ）が設けられている。
【０００８】
上記天吊り部材（１）では、吊り具（５０）が第１アングル部材（１０）に対して長手方向にスライド可能となっているため、吊り具（５０）をスライドさせることにより第１アングル部材（１０）に対する吊ボルト（３）の固定位置を容易に調整することができる。また第１アングル部材（１０）の外面において長手方向の端部にはストッパー部（６１Ａ〜６４Ａ）が設けられ、吊り具（５０）（アングル固定部（５１））の内面（５１Ａ）にはストッパー部（６１Ａ〜６４Ａ）に対して長手方向に見て重なるように被係止部（９１Ａ〜９４Ａ）が設けられている。このため、吊り具（５０）を第１アングル部材（１０）の端部に向かってスライドさせた時に、被係止部（９１Ａ〜９４Ａ）をストッパー部（６１Ａ〜６４Ａ）に当接させることができる。これにより、吊り具（５０）を第１アングル部材（１０）に対してスライドさせて位置調整する際に、吊り具（５０）が第１アングル部材（１０）の端部から抜けることを防止することができる。
【０００９】
上記天吊り部材（１）において、前記第１アングル部材（１０）は、前記外面を含むアングル本体部（１７）と、前記アングル本体部（１７）の前記外面から延設され、長手方向の一端部から他端部に亘って形成されたアングル補強部（１６（６１〜６４））と、を有していてもよい。前記ストッパー部（６１Ａ〜６４Ａ）は、前記アングル補強部（６１〜６４）における前記一端部及び前記他端部の少なくとも一方の側の部位であってもよい。
【００１０】
上記構成によれば、長手方向の一端部から他端部に亘ってアングル本体部（１７）にアングル補強部（１６）を設けることにより、第１アングル部材（１０）の強度をより向上させることができる。そして、アングル補強部（６１〜６４）の端部をストッパー部（６１Ａ〜６４Ａ）として機能させることにより、第１アングル部材（１０）の強度向上に加えて吊り具（５０）の抜け防止の効果も得ることができる。
【００１１】
上記天吊り部材（１）において、前記アングル補強部（１６）は、前記吊り具（５０）を長手方向にスライドさせるレール部（６１Ｂ〜６３Ｂ）と、前記レール部（６１Ｂ〜６３Ｂ）から切り離され、前記一端部及び前記他端部の少なくとも一方に設けられた切離部（６１Ａ〜６４Ａ）と、を有していてもよい。前記ストッパー部（６１Ａ〜６４Ａ）は、前記切離部（６１Ａ〜６４Ａ）により構成されていてもよい。
【００１２】
上記構成によれば、アングル補強部（６１〜６４）に対して簡単な切断加工を施すだけでストッパー部（６１Ａ〜６４Ａ）を容易に形成することができる。
【００１３】
上記天吊り部材（１）において、前記アングル本体部（１７）は、上壁部（１１）と、前記上壁部（１１）に対向する下壁部（１２）と、前記上壁部（１１）の端部と前記下壁部（１２）の端部とを接続する側壁部（１３）と、を有していてもよい。前記アングル補強部（１６）は、前記上壁部（１１）と前記側壁部（１３）との接続部及び前記下壁部（１２）と前記側壁部（１３）との接続部の少なくとも一方に設けられていてもよい。
【００１４】
上記構成によれば、アングル本体部（１７）において特に強度低下が懸念される部位（上壁部（１１）と側壁部（１３）との接続部、下壁部（１２）と側壁部（１３）との接続部）にアングル補強部（１６）を設けることにより、第１アングル部材（１０）の強度を一層向上させることができる。
【００１５】
上記天吊り部材（１）において、前記上壁部（１１）及び前記下壁部（１２）の長さは、前記側壁部（１３）の長さよりも大きくなっていてもよい。
【００１６】
上記構成によれば、第１アングル部材（１０）の高さ方向のサイズをより小さくことができ、その結果天吊り部材の据付場所において高さ方向の省スペース化を図ることができる。
【００１７】
上記天吊り部材（１）において、前記上壁部（１１）及び前記下壁部（１２）の少なくとも一方には、前記アングル固定部（５１）の前記内面（５１Ａ）との間に隙間を有する部位（１１Ａ，１２Ａ）と、前記部位（１１Ａ，１２Ａ）よりも前記内面（５１Ａ）側に突出することにより前記内面（５１Ａ）に当接する部位（１１ＡＡ，１１ＡＢ，１２ＡＡ，１２ＡＢ）と、が設けられていてもよい。
【００１８】
上記構成によれば、上壁部（１１）及び下壁部（１２）の全体がアングル固定部（５１）の内面（５１Ａ）に対して接触する場合に比べて、吊り具（５０）をスライドさせる時に内面（５１Ａ）との接触により生じる摩擦をより低減することができる。
【００１９】
上記天吊り部材（１）において、前記ストッパー部（６１Ａ〜６４Ａ）は、前記第１アングル部材（１０）において幅方向の両側に設けられていてもよい。
【００２０】
上記構成によれば、幅方向の両側に設けられたストッパー部（６１Ａ〜６４Ａ）によって被係止部（９１Ａ〜９４Ａ）との当接による力を受けることができる。これにより、幅方向の一方側のストッパー部（６１Ａ〜６４Ａ）のみに力が集中的に加わることを防止することができ、ストッパー部（６１Ａ〜６４Ａ）の破損を防ぐことができる。
【発明の効果】
【００２１】
本発明によれば、アングル部材に対する吊ボルトの固定位置を容易に調整することができると共に、吊り具がアングル部材から抜けることを防止可能な天吊り部材を提供することができる。
【図面の簡単な説明】
【００２２】
【図１】本発明の実施形態に係る天吊り部材の構造を示す図である。
【図２】図１中の領域ＩＩにおける拡大図である。
【図３】上記天吊り部材を構成する下側アングル部材を長手方向から見た図である。
【図４】図１中の領域ＩＶにおける拡大図である。
【図５】上記天吊り部材を構成する上側アングル部材を長手方向から見た図である。
【図６】上記天吊り部材が折畳まれた状態を示す図である。
【図７】上記天吊り部材の半開き状態を示す図である。
【図８】上記天吊り部材が開かれた状態を示す図である。
【図９】上記天吊り部材が天井の吊ボルトに固定された状態を示す図である。
【図１０】上記天吊り部材に室内機が固定された状態を示す図である。
【発明を実施するための形態】
【００２３】
以下、図面に基づいて、本発明の実施形態につき詳細に説明する。
【００２４】
（天吊り部材）
まず、本発明の実施形態に係る天吊り部材１の構造について、図１を参照して説明する。
【００２５】
天吊り部材１は、４本の棒状のアングル部材１０，２０が四角形（長方形）の枠体状に連結されたものである。天吊り部材１は、天井の吊ボルトに固定される２本の平行な下側アングル部材１０（第１アングル部材）と、室内機が固定される２本の平行な上側アングル部材２０（第２アングル部材）と、上側アングル部材２０と下側アングル部材１０とを連結する４本の連結ボルト３０及びナット４０と、４つの吊り具５０と、を有する。
【００２６】
上側アングル部材２０及び下側アングル部材１０は、それぞれ長手方向に延在する形状を有し、図１に示すように天吊り部材１が開かれた状態において互いに直交するように連結部１Ａにおいて互いに連結されている。上側アングル部材２０及び下側アングル部材１０は、下側アングル部材１０から上側アングル部材２０に向かって延びる連結ボルト３０とその先端部に締結されるナット４０とによって、上下方向に重なった状態で互いに拘束されている。なお、吊ボルトに固定される側のアングル部材１０が下側に配置される場合に限定されず、室内機が固定される側のアングル部材２０が下側に配置されてもよい。
【００２７】
吊り具５０は、下側アングル部材１０の長手方向の両端部に取り付けられている。吊り具５０は、下側アングル部材１０の外周を取り囲む四角形状を有するアングル固定部５１と、アングル固定部５１に付設され、天井の吊ボルトが挿入される孔が形成されたボルト固定部５２と、を有する。
【００２８】
［下側アングル部材］
図２は、図１中の領域ＩＩにおいて下側アングル部材１０を拡大した斜視図である。図３は、下側アングル部材１０を長手方向から見たときの様子を示す図である。下側アングル部材１０は、アルミニウムの押し出し成形により形成された部材であり、中空部１４が形成された筒形状を有する。図３に示すように、下側アングル部材１０は、長手方向に見て横長の矩形状からなるアングル本体部１７と、アングル本体部１７の四隅から水平方向に延設されたアングル補強部１６と、を有する。
【００２９】
アングル本体部１７は、上壁部１１と、上壁部１１に対して厚み方向に対向する下壁部１２と、上壁部１１の端部と下壁部１２の端部とを接続する側壁部１３と、からなる筒状体である。側壁部１３は、上壁部１１の一方端と下壁部１２の一方端とを接続する第１側壁部１３Ａと、上壁部１１の他方端と下壁部１２の他方端とを接続する第２側壁部１３Ｂと、を有する。アングル本体部１７において、上壁部１１及び下壁部１２の長さは同じであり、側壁部１３の長さよりも大きくなっている。
【００３０】
上壁部１１は、水平方向に延びる一対の第１上壁部１１Ａと、第１上壁部１１Ａに接続され、下壁部１２側に凹むコの字状の第２上壁部１１Ｂと、を有する。第２上壁部１１Ｂは、第１上壁部１１Ａの一方端に接続され、下壁部１２側に延びる一対の垂直壁１１Ｃと、当該一対の垂直壁１１Ｃの端部同士を接続する水平壁１１Ｄと、からなる。
【００３１】
第１上壁部１１Ａにおいて垂直壁１１Ｃとの接続部には、第１上壁部１１Ａに対して段差を成すように内側に延びる一対の延設壁１１ＡＡが設けられている。延設壁１１ＡＡは、第１上壁部１１Ａよりもアングル固定部５１の上側の内面５１Ａに向かって上方に突出することにより、当該内面５１Ａに当接している。また第１上壁部１１Ａにおいて側壁部１３との接続部には、第１上壁部１１Ａよりもアングル固定部５１の上側の内面５１Ａに向かって上方に突出する上側リブ１１ＡＢが設けられており、当該上側リブ１１ＡＢは内面５１Ａに当接している。これにより、図３に示すように、第１上壁部１１Ａとアングル固定部５１の上側の内面５１Ａとの間には隙間が形成され、上壁部１１は内面５１Ａに対して隙間を空けた状態で当接する。また一対の延設壁１１ＡＡの間には、連結ボルト３０が挿入される隙間が形成されている。なお、上述のように上壁部１１と内面５１Ａとの間に隙間が形成される場合に限定されず、延設壁１１ＡＡが第１上壁部１１Ａに対して水平に延設されてもよいし、上側リブ１１ＡＢが省略されてもよい。
【００３２】
上壁部１１には、下壁部１２側に凹むレール溝１５が設けられている。レール溝１５は、第２上壁部１１Ｂ（垂直壁１１Ｃ及び水平壁１１Ｄ）により中空部１４に対して仕切られている。図３に示すように、レール溝１５の開口部は、一対の延設壁１１ＡＡによって部分的に塞がれている。また図１に示すように、レール溝１５は、下側アングル部材１０の一端部から他端部に至るように長手方向全体に設けられている。このレール溝１５に沿って連結ボルト３０をスライドさせることにより、上側アングル部材２０を下側アングル部材１０の長手方向に沿ってスライドさせることができる。
【００３３】
下壁部１２は、水平方向に延びる一対の第１下壁部１２Ａと、第１下壁部１２Ａに接続され、上壁部１１側に凹むコの字状の第２下壁部１２Ｂと、を有する。第２下壁部１２Ｂは、第１下壁部１２Ａの一方端に接続され、上壁部１１側に延びる一対の垂直壁１２Ｃと、当該一対の垂直壁１２Ｃの端部同士を接続する水平壁１２Ｄと、からなる。
【００３４】
第１下壁部１２Ａにおいて垂直壁１２Ｃとの接続部には、第１下壁部１２Ａに対して段差を成すように内側に延びる一対の延設壁１２ＡＡが設けられている。延設壁１２ＡＡは、第１下壁部１２Ａよりもアングル固定部５１の下側の内面５１Ａ側に突出することにより、当該内面５１Ａに当接する。また第１下壁部１２Ａにおいて側壁部１３との接続部には、第１下壁部１２Ａよりも内面５１Ａ側に突出する下側リブ１２ＡＢが設けられており、当該下側リブ１２ＡＢは内面５１Ａに当接する。これにより、図３に示すように、第１下壁部１２Ａとアングル固定部５１の下側の内面５１Ａとの間に隙間が形成され、下壁部１２は内面５１Ａに対して隙間を空けた状態で当接する。また一対の延設壁１２ＡＡの間には、下側アングル部材１０と吊り具５０（アングル固定部５１）とを互いに固定するための固定ボルト６０のネジ部が挿入される。なお、下壁部１２と内面５１Ａとの間に隙間が形成される場合に限定されず、延設壁１２ＡＡが第１下壁部１２Ａに対して水平に延設されてもよいし、下側リブ１２ＡＢが省略されてもよい。
【００３５】
アングル補強部１６は、下側アングル部材１０の強度を向上させるため、アングル本体部１７の外面から外側に延設された部位であり、アングル本体部１７と一体形成されている。アングル補強部１６は、下側アングル部材１０において長手方向の一端部から他端部に亘って形成されている。図３に示すように、アングル補強部１６は、矩形状のアングル本体部１７の四隅に設けられた第１〜第４アングル補強部６１〜６４を有する。
【００３６】
第１アングル補強部６１は、上壁部１１と第１側壁部１３Ａとの接続部から外側に向かって水平方向に延設されている。また図２に示すように、第１アングル補強部６１は、吊り具５０を長手方向にスライドさせるレール部６１Ｂと、レール部６１Ｂから切り離されて下向きに折り曲げられ、長手方向の一端部に設けられた切離部６１Ａを有する。この切離部６１Ａが、吊り具５０をスライドさせた時に下側アングル部材１０の端部から吊り具５０が抜けるのを防止するためのストッパー部６１Ａとして機能する。つまり、第１アングル補強部６１は、下側アングル部材１０の強度を向上させると共に、長手方向の一端部側の部位がストッパー部として機能する。また図２では、第１アングル補強部６１における一端部側の部位のみが示されているが、他方端側の部位も同様にレール部６１Ｂから切り離されて下向きに折り曲げられることによりストッパー部（切離部）を構成している。なお、吊り具５０の抜け止め機構については後に詳述する。
【００３７】
また第２〜第４アングル補強部６２〜６４も、以下に説明するように第１アングル補強部６１と同様の構造を有する。第２アングル補強部６２は、上壁部１１と第２側壁部１３Ｂとの接続部から外側に向かって水平方向に延設されており、長手方向の両端部が切断されて下向きに折り曲げられることによりストッパー部６２Ａ（切離部）が構成されている。また第３アングル補強部６３は、第１アングル補強部６１に対して平行になるように、下壁部１２と第１側壁部１３Ａとの接続部から外側に向かって水平方向に延設されている。そして、第３アングル補強部６３の長手方向の両端部が切断されて上向きに折り曲げられることによりストッパー部６３Ａ（切離部）が構成されている。また第４アングル補強部６４は、第２アングル補強部６２に対して平行になるように、下壁部１２と第２側壁部１３Ｂとの接続部から外側に向かって水平方向に延設されている。そして、第４アングル補強部６４の長手方向の両端部が切断されて上向きに折り曲げられることによりストッパー部６４Ａ（切離部）が構成されている。このように、下側アングル部材１０では、幅方向の両側においてストッパー部６１Ａ，６３Ａ及びストッパー部６２Ａ，６４Ａがそれぞれ設けられると共に、高さ方向の両側においてストッパー部６１Ａ，６２Ａ及びストッパー部６３Ａ，６４Ａがそれぞれ設けられている。
【００３８】
［上側アングル部材］
図４は、図１中の領域ＩＶにおいて上側アングル部材２０を拡大した斜視図である。図５は、上側アングル部材２０を長手方向に見たときの様子を示す図である。上側アングル部材２０は、下側アングル部材１０と同様にアルミニウムの押し出し成形により形成された筒形状の部材であり、長手方向の長さが下側アングル部材１０よりも短くなっている。
【００３９】
図５に示すように、上側アングル部材２０は、長手方向に見て横長の矩形状からなるアングル本体部２７と、アングル本体部２７の四隅から水平方向に延設されたアングル補強部２５と、を有する。アングル本体部２７は、上壁部２１と、上壁部２１に対して厚み方向に対向する下壁部２２と、上壁部２１の端部と下壁部２２の端部とを接続する側壁部２３と、からなる筒状体である。側壁部２３は、上壁部２１の一方端と下壁部２２の一方端とを接続する第１側壁部２３Ａと、上壁部２１の他方端と下壁部２２の他方端とを接続する第２側壁部２３Ｂと、を有する。上側アングル部材２０は、下壁部２２において下側アングル部材１０の上面に配置されている。また下側アングル部材１０と同様に、上壁部２１及び下壁部２２の長さは同じであり、側壁部２３の長さよりも大きくなっている。
【００４０】
上壁部２１及び下壁部２２には、連結ボルト３０が挿入される貫通孔２１Ａ，２２Ａが形成されている。図１に示すように、貫通孔２１Ａ，２２Ａは、上側アングル部材２０の長手方向に沿って形成されている。これにより、連結ボルト３０が挿入された状態で下側アングル部材１０を上側アングル部材２０の長手方向に沿ってスライドさせることができる。また図５に示すように、上側アングル部材２０には、中空部内において上壁部２１と下壁部２２とを接続する一対の補強壁２４が設けられており、当該一対の補強壁２４の間に連結ボルト３０が挿入される空間が形成されている。
【００４１】
アングル補強部２５は、下側アングル部材１０の場合と同様に、上側アングル部材２０の強度を向上させるための部位であって、アングル本体部２７の四隅から水平方向に延設されている。アングル補強部２５は、アングル本体部２７と一体形成され、且つ長手方向の一端部から他端部に亘って形成されている。アングル補強部２５は、アングル本体部２７の四隅に設けられた第１〜第４アングル補強部７１〜７４を有する。
【００４２】
第１アングル補強部７１は、上壁部２１と第１側壁部２３Ａとの接続部から水平方向に延設されている。第２アングル補強部７２は、上壁部２１と第２側壁部２３Ｂとの接続部から水平方向に（第１アングル補強部７１と逆方向に）延設されている。第３アングル補強部７３は、第１アングル補強部７１に対して平行になるように下壁部２２と第１側壁部２３Ａとの接続部から水平方向に延設され、下側アングル部材１０の上面に配置されている。第４アングル補強部７４は、第２アングル補強部７２に対して平行になるように下壁部２２と第２側壁部２３Ｂとの接続部から水平方向に（第３アングル補強部７３と逆方向に）延設され、下側アングル部材１０の上面に配置されている。
【００４３】
［連結ボルト］
連結ボルト３０は、ナット４０と共に上側及び下側アングル部材２０，１０を上下方向に締め付けて連結する。図３に示すように、連結ボルト３０は、頭部３３が延設壁１１ＡＡの下面により係止されると共に本体部３１が上側アングル部材２０を上下に貫通し、先端部３１Ａが上側アングル部材２０の上面から突出するように配置されている。また連結ボルト３０は、本体部３１と頭部３３との間に四角形状の根元部３２を有し、図５に示すように根元部３２が貫通孔２２Ａに嵌まり込むことによって上側及び下側アングル部材２０，１０の回動が防止される。これにより、両アングル部材２０，１０の連結角度を固定することができる。
【００４４】
［ナット］
ナット４０は、上側アングル部材２０の上面から突出した連結ボルト３０の先端部３１Ａに取り付けられている。ナット４０は、例えば皿バネナットであり、内周面において連結ボルト３０と嵌合するネジ部が形成されている。ナット４０を連結ボルト３０に対して締め付けることにより、上側及び下側アングル部材２０，１０を重なり方向に拘束することができる。
【００４５】
［吊り具］
吊り具５０は、下側アングル部材１０を天井の吊ボルトに固定するための部材である。吊り具５０は、アルミニウムの押し出し成形により形成されている。図１に示すように、吊り具５０は、下側アングル部材１０において連結部１Ａよりも端部側の部位に１つずつ取り付けられており、下側アングル部材１０に対して長手方向にスライド可能となっている。吊り具５０は、下側アングル部材１０の外周を覆う四角形状のアングル固定部５１と、当該アングル固定部５１に一体形成され、吊ボルトを固定可能な形状に形成されたボルト固定部５２と、を有する。
【００４６】
図３に示すように、アングル固定部５１は、下側アングル部材１０（アングル本体部１７）の外面全体を取り囲む内面５１Ａを有する。より具体的には、アングル固定部５１は、上壁部１１の外面に対向する上側固定部９１と、下壁部１２の外面に対向する下側固定部９２と、側壁部１３の外面に対向する側方固定部９３と、が互いに接続されたものであり、下側アングル部材１０よりも大きい矩形状からなる。側方固定部９３は、上側固定部９１の一方端と下側固定部９２の一方端とを接続する第１側方固定部９５と、上側固定部９１の他方端の下側固定部９２の他方端とを接続する第２側方固定部９６と、を有する。
【００４７】
第１側方固定部９５の内面５１Ａには、内側に向かって水平方向に延設された被係止部９１Ａ，９３Ａが上下に間隔を空けて設けられている。図２に示すように、被係止部９１Ａ，９３Ａは長手方向においてストッパー部６１Ａ，６３Ａよりも内側に位置し、また図３に示すように、下側アングル部材１０の長手方向に見たときにストッパー部６１Ａ，６３Ａの一部と重なっている。換言すると、被係止部９１Ａ，９３Ａは、長手方向においてストッパー部６１Ａ，６３Ａと対向している。このように、ストッパー部６１Ａ，６３Ａと被係止部９１Ａ，９３Ａとが長手方向において互いに重なり合うことにより、後述のように吊り具５０の抜け止め機能（ストッパー機能）が実現されている。
【００４８】
また第２側方固定部９６の内面５１Ａにも、同様に被係止部９２Ａ，９４Ａが設けられている。被係止部９２Ａ，９４Ａは、内側に向かって水平方向に延設され、且つ上下に間隔を空けて設けられている。そして、被係止部９２Ａ，９４Ａは、ストッパー部６２Ａ，６４Ａの一部と重なるように設けられ、且つ長手方向においてストッパー部６２Ａ，６４Ａと対向している。
【００４９】
下側固定部９２には、貫通孔９７が形成されており、当該貫通孔９７に固定ボルト６０のネジ部が挿入されている。吊り具５０は、固定ボルト６０の先端に固定ナット６５を締め付けることにより、下側アングル部材１０に対して位置固定される。
【００５０】
ボルト固定部５２は、上側固定部９１と第１側方固定部９５との接続部から水平方向に延設されており、吊ボルトが挿入される挿入孔５２Ａが形成されている（図２）。またボルト固定部５２の延出端には上下方向に突き出た突出部５２Ｂが設けられている。これにより、吊ボルトを挿入孔５２Ａに挿入した状態において、吊ボルトに取り付けられたワッシャー等を突出部５２Ｂに当接させることができ、挿入孔５２Ａからの吊ボルトの抜けを防止できる。
【００５１】
［吊り具の抜け止め機構］
次に、天吊り部材１における下側アングル部材１０からの吊り具５０の抜け止め機構について説明する。
【００５２】
上述のように、下側アングル部材１０（アングル本体部１７）の外面において長手方向の両端部には水平方向に延設されたストッパー部６１Ａ〜６４Ａが形成され、一方でアングル固定部５１の内面５１Ａには内側に向かって延設された被係止部９１Ａ〜９４Ａが形成されている。そして、下側アングル部材１０の長手方向に見たときに（図３）、ストッパー部６１Ａ〜６４Ａ及び被係止部９１Ａ〜９４Ａは、互いに重なり合うように位置する。
【００５３】
このようなストッパー部が設けられていない天吊り部材においては、吊ボルトの固定位置を調整するために吊り具５０をスライドさせた時に、吊り具５０が下側アングル部材１０の端部から誤って抜けてしまう場合がある。これにより、天井裏等の据付場所において吊り具５０を紛失してしまう虞がある。これに対して、本実施形態に係る天吊り部材１では、吊り具５０を下側アングル部材１０の端部に向かって長手方向にスライドさせると、吊り具５０が下側アングル部材１０から抜ける前に被係止部９１Ａ〜９４Ａをストッパー部６１Ａ〜６４Ａに当接させることができる。これにより、据付作業中に吊り具５０が下側アングル部材１０から抜けることを防止でき、吊り具５０の紛失を防ぐことができる。
【００５４】
（天吊り部材の据付方法）
次に、上記天吊り部材１の天井への据付方法について、図６〜図１０を主に参照して説明する。
【００５５】
はじめに、折畳まれた状態の天吊り部材１を準備するステップが実施される。このステップでは、図６に示すように、折畳まれた状態の天吊り部材１が梱包された箱２が準備され、当該箱２から天吊り部材１が取り出される。そして、天吊り部材１が折畳まれた状態のままで天井の開口を通して天井裏の据付場所に運ばれる。
【００５６】
図６に示すように、折畳み状態では上側アングル部材２０と下側アングル部材１０とは互いに略平行であり、連結ボルト３０及びナット４０により仮止めされている。この仮止め状態では、連結ボルト３０は頭部３３が下側アングル部材１０の水平壁１１Ｄに当接するように下方に落ち込んだ状態である。このため、上側アングル部材２０と下側アングル部材１０とを連結部１Ａを中心として互いに回動させることにより、連結角度を調整することができる。
【００５７】
次に、天吊り部材１を開くステップが実施される。このステップでは、上側アングル部材２０と下側アングル部材１０とを連結部１Ａを中心として互いに回動させる。これにより、図７に示すように天吊り部材１が半開き状態となった後、図８に示すように連結角度が略９０°にまで変更される。これにより、上側アングル部材２０と下側アングル部材１０とが互いに略垂直な状態となる。そして、ナット４０を掴んで連結ボルト３０を上方に引き上げることにより、図５に示すように連結ボルト３０の根元部３２が上側アングル部材２０の下壁部２２に形成された貫通孔２２Ａに挿入された状態となる。この状態でナット４０が一定量締め付けられることにより、上側アングル部材２０と下側アングル部材１０との連結角度が略９０°に固定される。なお、この状態ではナット４０は完全に締め付けられておらず、上側アングル部材２０はレール溝１５に沿って下側アングル部材１０の長手方向にスライド可能となっている。
【００５８】
次に、天吊り部材１を天井の吊ボルト３に固定するステップが実施される。このステップでは、まず、吊り具５０を下側アングル部材１０の両端部に向かって長手方向にスライドさせることにより、吊ボルト３のピッチと合うように吊り具５０の位置を調整する。そして、図３に示すように、固定ナット６５を固定ボルト６０に対して締め付けることにより、下側アングル部材１０に対して吊り具５０の位置が固定される。
【００５９】
ここで、本実施形態に係る天吊り部材１では、図３に示すように下側アングル部材１０の外面にストッパー部６１Ａ〜６４Ａが設けられると共に、当該ストッパー部６１Ａ〜６４Ａに対して長手方向に重なる被係止部９１Ａ〜９４Ａがアングル固定部５１の内面５１Ａに設けられている。このため、吊り具５０を下側アングル部材１０の両端部に向かってスライドさせた時に、吊り具５０が下側アングル部材１０の端部から抜けてしまう前に被係止部９１Ａ〜９４Ａをストッパー部６１Ａ〜６４Ａに当接させることができる。これにより、吊り具５０が下側アングル部材１０の端部から抜けて紛失してしまうことを防止できる。
【００６０】
次に、吊ボルト３がボルト固定部５２に形成された挿入孔５２Ａ（図２）に挿入され、吊ボルト３に取り付けられたナット及びワッシャーによりボルト固定部５２（図２）が上下方向に締め付けられる。これにより、図９に示すように天吊り部材１が吊ボルト３に固定される。
【００６１】
その後、上側アングル部材２０をレール溝１５に沿って下側アングル部材１０の長手方向にスライドさせ、室内機のピッチと合うように上側アングル部材２０の位置を調整する。そして、ナット４０を連結ボルト３０に対してさらに締め付けることにより、上側アングル部材２０が下側アングル部材１０に対して完全に固定される。
【００６２】
次に、室内機を固定するステップが実施される。このステップでは、図１０に示すように、室内機４の四隅に取り付けられたボルト５が上側アングル部材２０の上下面に形成された貫通孔に挿入される。そして、ボルト５に取り付けられた２つのナットにより上側アングル部材２０が上下方向に締め付けられる。これにより、図１０に示すように、室内機４が上側アングル部材２０に固定される。以上のようなステップにより、天吊り部材１が天井に据え付けられ、室内機４が設置される。
【００６３】
（作用効果）
次に、上記天吊り部材１の特徴的な構成及びその作用効果について説明する。
【００６４】
天吊り部材１は、天井の吊ボルト３に固定され、長手方向に延在する形状を有する下側アングル部材１０（第１アングル部材）と、下側アングル部材１０に連結され、室内機４が固定される上側アングル部材２０（第２アングル部材）と、下側アングル部材１０に対して長手方向にスライド可能に取り付けられ、下側アングル部材１０を吊ボルト３に固定する吊り具５０と、を備えている。吊り具５０は、下側アングル部材１０の外面全体を取り囲む内面５１Ａを含むアングル固定部５１と、アングル固定部５１に付設され、吊ボルト３を固定可能な形状に形成されたボルト固定部５２と、を有している。下側アングル部材１０の外面において長手方向の端部には、ストッパー部６１Ａ〜６４Ａが設けられている。アングル固定部５１の内面５１Ａには、長手方向においてストッパー部６１Ａ〜６４Ａよりも内側に位置し、下側アングル部材１０の長手方向に見てストッパー部６１Ａ〜６４Ａの一部と重なるように形成された被係止部９１Ａ〜９４Ａが設けられている。
【００６５】
上記天吊り部材１では、吊り具５０が下側アングル部材１０に対して長手方向にスライド可能となっているため、吊り具５０をスライドさせることにより下側アングル部材１０に対する吊ボルト３の固定位置を容易に調整することができる。また下側アングル部材１０の外面において長手方向の端部にはストッパー部６１Ａ〜６４Ａが設けられ、アングル固定部５１の内面５１Ａにはストッパー部６１Ａ〜６４Ａに対して長手方向に見て重なるように被係止部９１Ａ〜９４Ａが設けられている。このため、吊り具５０を下側アングル部材１０の端部に向かってスライドさせた時に、被係止部９１Ａ〜９４Ａをストッパー部６１Ａ〜６４Ａに当接させることができる。これにより、吊り具５０を下側アングル部材１０に対してスライドさせて位置調整する際に、吊り具５０が下側アングル部材１０の端部から抜けることを防止することができる。
【００６６】
上記天吊り部材１において、下側アングル部材１０は、アングル本体部２７と、アングル本体部２７の外面から延設され、長手方向の一端部から他端部に亘って形成されたアングル補強部６１〜６４と、を有する。ストッパー部６１Ａ〜６４Ａは、アングル補強部６１〜６４における長手方向の両端側の部位である。この構成によれば、長手方向の一端部から他端部に亘ってアングル本体部２７の外面から延設されたアングル補強部１６を設けることにより、下側アングル部材１０の強度をより向上させることができる。そして、アングル補強部６１〜６４の端部をストッパー部６１Ａ〜６４Ａとして機能させることにより、下側アングル部材１０の強度向上に加えて吊り具５０の抜け防止の効果も得ることができる。
【００６７】
上記天吊り部材１において、アングル補強部１６は、吊り具５０を長手方向にスライドさせるレール部６１Ｂ〜６３Ｂと、レール部６１Ｂ〜６３Ｂから切り離され、長手方向の両端部に設けられた切離部６１Ａ〜６４Ａと、を有する。ストッパー部６１Ａ〜６４Ａは、切離部６１Ａ〜６４Ａにより構成されている。この構成によれば、アングル補強部６１〜６４に対して簡単な切断加工を施すだけでストッパー部６１Ａ〜６４Ａを容易に形成することができる。
【００６８】
上記天吊り部材１において、下側アングル部材１０のアングル本体部１７は、上壁部１１と、上壁部１１に対向する下壁部１２と、上壁部１１の端部と下壁部１２の端部とを接続する側壁部１３と、を有している。アングル補強部１６は、上壁部１１と側壁部１３との接続部及び下壁部１２と側壁部１３との接続部の両方に設けられている。この構成によれば、アングル本体部１７において特に強度低下が懸念される部位（上壁部１１と側壁部１３との接続部、下壁部１２と側壁部１３との接続部）にアングル補強部１６を設けることにより、下側アングル部材１０の強度を一層向上させることができる。
【００６９】
上記天吊り部材１において、上壁部１１及び下壁部１２の長さは、側壁部１３の長さよりも大きくなっている。この構成によれば、下側アングル部材１０の高さ方向のサイズをより小さくすることができ、天吊り部材の据付場所において高さ方向の省スペース化を図ることができる。
【００７０】
上記天吊り部材１において、上壁部１１及び下壁部１２には、アングル固定部５１の内面５１Ａとの間に隙間を有する第１上壁部１１Ａ及び第１下壁部１２Ａと、これらよりも内面５１Ａ側に突出することにより当該内面５１Ａに当接する上側及び下側リブ１１ＡＢ，１２ＡＢ並びに延設壁１１ＡＡ，１２ＡＡとが設けられている。この構成によれば、上壁部１１及び下壁部１２の全体がアングル固定部５１の内面５１Ａに対して接触する場合に比べて、吊り具５０をスライドさせる時に内面５１Ａとの接触により生じる摩擦をより低減することができる。
【００７１】
上記天吊り部材１において、ストッパー部６１Ａ〜６４Ａは、下側アングル部材１０において幅方向の両側に設けられている。この構成によれば、幅方向の両側に設けられたストッパー部６１Ａ〜６４Ａによって被係止部９１Ａ〜９４Ａとの当接による力を受けることができる。これにより、一方のストッパー部のみに力が集中的に加わることを防止することができ、ストッパー部の破損を防ぐことができる。
【００７２】
（その他実施形態）
最後に、本発明のその他実施形態について説明する。
【００７３】
アングル固定部５１は、下側アングル部材１０の外面全体を取り囲むものに限定されず、当該外面の一部のみを取り囲むものでもよい。
【００７４】
ストッパー部６１Ａ〜６４Ａは、第１〜第４アングル補強部６１〜６４の長手方向の端部として設けられる場合に限定されず、第１〜第４アングル補強部６１〜６４とは別の部材として下側アングル部材１０の外面に設けられてもよい。
【００７５】
ストッパー部６１Ａ〜６４Ａは、アングル補強部６１〜６４の長手方向の端部を切断して折り曲げた部位に限定されず、切断せずに折り曲げた部位であってもよい。また図２に示すようにストッパー部６１Ａ〜６４Ａは第１〜第４アングル補強部６１〜６４の最端部に設けられる場合に限定されず、最端部よりも内側の部位に設けられてもよい。
【００７６】
第１〜第４アングル補強部６１〜６４は、アングル本体部１７の四隅に設けられる場合に限定されず、側壁部１３に設けられてもよい。また上壁部１１と側壁部１３との接続部に設けられた第１及び第３アングル補強部６１，６３を省略してもよいし、下壁部１２と側壁部１３との接続部に設けられた第２及び第４アングル補強部６２，６４を省略してもよい。
【００７７】
下側アングル部材１０は、上壁部１１及び下壁部１２が側壁部１３よりも長い横長の矩形状のものに限定されず、上壁部１１、下壁部１２及び側壁部１３の長さが全て等しい正方形状のものでもよいし、上壁部１１及び下壁部１２が側壁部１３よりも短い縦長の矩形状のものでもよい。
【００７８】
吊り具５０は、アングル固定部５１とボルト固定部５２とが一体形成されたものに限定されず、アングル固定部５１とボルト固定部５２とが互いに別部材として接合されてもよい。
【００７９】
天吊り部材１は、４本のアングル部材１０，２０を連結したものに限定されず、３本以下のアングル部材からなるものでもよいし、５本以上のアングル部材からなるものでもよい。
【００８０】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００８１】
１  天吊り部材
３  吊ボルト
４  室内機
１０  下側アングル部材（第１アングル部材）
１１  上壁部
１１Ａ  第１上壁部
１１ＡＡ，１２ＡＡ  延設壁
１１ＡＢ  上側リブ
１２  下壁部
１２Ａ  第１下壁部
１２ＡＢ  下側リブ
１３  側壁部
１６（６１〜６４）  アングル補強部
１７  アングル本体部
２０  上側アングル部材（第２アングル部材）
５０  吊り具
５１  アングル固定部
５１Ａ  内面
５２  ボルト固定部
６１Ａ〜６４Ａ  ストッパー部（切離部）
６１Ｂ，６２Ｂ，６３Ｂ  レール部
９１Ａ〜９４Ａ  被係止部
【図１】
2017145934.tif 000003
【図２】
2017145934.tif 000004
【図３】
2017145934.tif 000005
【図４】
2017145934.tif 000006
【図５】
2017145934.tif 000007
【図６】
2017145934.tif 000008
【図７】
2017145934.tif 000009
【図８】
2017145934.tif 000010
【図９】
2017145934.tif 000011
【図１０】
2017145934.tif 000012